(57)【要約】【課題】モップを絞る際多くの力を必要とせず、構成部品がシンプルで、組み立てが容易である柄付きモップの構造を提供する。【解決手段】主に支柱１、収納ボックス２、固定台３、掃除部品４とを含む。支柱は上部に弾力ロック１１が設置され、端部には第一固定孔１２が設置される。収納ボックスは支柱上に嵌設され、内部には容置空間２１が設置され、底部両側には延伸部２２が設置され、内壁上には滑槽２３が設置され、上端にはハンドル２４が設置される。固定台は支柱端部上に穿設され、第二固定孔３１が設置され、第一固定孔に対応して固定部品３２が穿設され、固定台の両側には翼片３３が可動接続され、翼片上にはリブ３４が設置される。掃除部品は固定台の両側の翼片上に組み立てられる。【選択図】図１
0003130561.tif 000002
【実用新案登録請求の範囲】
【請求項１】
支柱、収納ボックス、固定台、及び掃除部品を備え、
該支柱は楕円管であり、該支柱の上には弾力ロックが設置され、前記支柱の端部には第一固定孔が設置され、
該収納ボックスは該支柱上に嵌設され、該収納ボックス内には容置空間が設置され、底部両側にはそれぞれ延伸し相対する延伸部が設置され、該収納ボックス内壁上には滑槽が設置され、該収納ボックス上端には延伸しハンドルが設置され、
該固定台は該支柱端部上に穿設され、該固定台の上には第二固定孔が設置され、該支柱の第一固定孔と相互に対応して固定部品が穿設され、該固定台両側には翼片が可動接続され、該翼片上にはリブが設置され、
該掃除部品は該固定台の両側の翼片上に組み立てられることを特徴とする柄付きモップの構造。
【請求項２】
前記収納ボックスの内壁滑槽内にはローリング部品が設置されることを特徴とする請求項１に記載の柄付きモップの構造。
【請求項３】
前記ローリング部品はボールであることを特徴とする請求項２に記載の柄付きモップの構造。
【請求項４】
前記ローリング部品はローラーであることを特徴とする請求項２に記載の柄付きモップの構造。
【請求項５】
前記ローリング部品はローラー柱であることを特徴とする請求項２に記載の柄付きモップの構造。
【請求項６】
前記翼片のリブ上にはローリング部品が設置されることを特徴とする請求項１に記載の柄付きモップの構造。
【請求項７】
前記ローリング部品はボール或いはローラーの内の１つであることを特徴とする請求項６に記載の柄付きモップの構造。
【請求項８】
前記ローリング部品はローラーであることを特徴とする請求項６に記載の柄付きモップの構造。
【請求項９】
前記固定部品はネジであることを特徴とする請求項１に記載の柄付きモップの構造。
【請求項１０】
前記掃除部品はスポンジであることを特徴とする請求項１に記載の柄付きモップの構造。
【考案の詳細な説明】
【技術分野】
【０００１】
本考案は、柄付きモップの構造に関する。特に掃除部品を半分に折り、圧迫し水分を絞る時に省力化が可能であり、完全に收納できる柄付きモップの構造に係る。
【背景技術】
【０００２】
床板の掃除を行う時に、なくてはならない用具は柄付きモップである。一般の柄付きモップは使用後非常に汚れ、使用者は洗浄の過程において、直接触れることを避けるため、柄付きモップの吸水スポンジ（布）は乾きにくい。
これに対して、公知の柄付きモップ構造には、内側へと二つ折りにして圧迫し水分を絞る柄付きモップ改良構造が開発されている。それは動作棒の上棒を後方へと引き動かし、これにより下棒が連動し、動作制御棒の移動を連動するものである。こうしてハンドル下端に向かい移動し、分配部品は上方へと移動して左右動作制御片を連動し、サポート台を支点とする左右動作制御片は相互に対応して内側へと折畳まれる。このため、該左右動作制御片の下端に設置する掃除用部品もまた相互に対応して内縮し折畳まれる。
さらに別種の公知の柄付きモップ構造は、引き動かし式の持ち手を備えており、これにより可動接続点を軸心として引き上げる時、引き棒の上端を連動し、該引き棒の下端は接続台を上方へと引き上げ、清潔部品を力で圧迫し、水分を絞ることができる。
【考案の開示】
【考案が解決しようとする課題】
【０００３】
上記公知の柄付きモップ構造には以下の欠点が存在する。
（１）その構成部品は非常に多く、組み立て手順は煩瑣で、しかもコストが高過ぎる。
（２）引き棒の行程が大きいため、作動時に力を浪費し、しかも操作が容易でない。
（３）連棒機構の操作は手を挟み傷を負い易く、危険である。
（４）掃除部品損耗時の取り外し、または組み立て交換が容易でない。
本考案は上記構造の問題点を解決した柄付きモップの構造を提供するものである。
【課題を解決するための手段】
【０００４】
上記課題を解決するため、本考案は下記の柄付きモップの構造を提供する。
主に柄付きモップの構造を提供するものであり、柄付きモップを引き伸ばして絞る時、比較的多くの力を必要とし、しかも組み立て手順が煩瑣で、掃除部品の取り外しまたは組み立てが容易でないという問題を解決する。すなわちそれは柄付きモップの構造を提供するものであり、主に支柱、収納ボックス、固定台、掃除部品を含む。該支柱は楕円管であり、その上には弾力ロックを設置し、その端部には第一固定孔を設置し、該収納ボックスは該支柱上に嵌設され、該収納ボックス内には容置空間を設置し、底部両側にはそれぞれ延伸して相対する延伸部を設置し、しかも該収納ボックス内壁上には滑槽を設置し、また該収納ボックス上端には延伸しハンドルを設置する。
該固定台は該支柱端部内に穿設され、その上には第二固定孔を設置し、該支柱の第一固定孔と相互に対応して、固定部品を穿設し、また該固定台両側には翼片を可動接続し、該各翼片上にはリブを設置する。  該掃除部品は該固定台の両側の翼片上に組み立てられ、上記の収納ボックスの内壁の滑槽内にはローリング部品を設置し、上記のローリング部品はボール、或いはローラー、或いはローラー柱の内の１つであり、上記翼片のリブ上にはローリング部品を設置し、上記のローリング部品はボール或いはローラーの内の１つであり、上記の固定部品はネジであり、上記の掃除部品はスポンジであることを特徴とする柄付きモップの構造である。
【考案の効果】
【０００５】
上記のとおり、本考案は以下の長所を備える。
（１）操作者が掃除部品を絞る時の行程を短縮し、しかも使用が便利であり、省力化が可能である。
（２）構成部品はシンプルであり、組み立てが容易で、コストが低い。
（３）掃除部品を完全に収納することができるため、省スペースである。
（４）掃除部品を収納ボックス内に収納後、安定的に立てることができるため、使用完了後に置く時に、倒れたり乱雑な印象を与えることを回避可能である。
（５）掃除部品が損耗した時の交換が迅速かつ簡単である。
収納ボックスは最上端まで押すことができるため、掃除部品の棒体を延伸可能であり、死角となりがちな角や隅の汚れを確実に掃除することができる。
【考案を実施するための最良の形態】
【０００６】
先ず、図１、２に示すように、本考案の第一実施例には支柱１、収納ボックス２、固定台３及び掃除部品４を含む。
該支柱１は楕円管であり、その上には弾力ロック１１を設置し、またその端部には第一固定孔１２を設置する。
【０００７】
該収納ボックス２は該支柱１上に嵌設され、該収納ボックス２内には容置空間２１を設置し、該収納ボックス２の底部両側にはそれぞれ延伸して相対する延伸部２２を設置する。しかも該収納ボックス２の内壁上には滑槽２３を設置し、２個の該延伸部２２まで延伸し、また該収納ボックス２の上端には延伸するハンドル２４を設置する。
【０００８】
該固定台３は該支柱１の端部上に穿設され、その上には第二固定孔３１を設置し、該支柱１の第一固定孔１２と相互に対応し、該固定部品３２を穿設する。該固定部品３２はネジであり、また該固定台３の両側には可動接続部品３３１を利用して、翼片３３を可動接続し、該翼片３３上にはリブ３４を設置する。
【０００９】
該掃除部品４は該固定台３の両側の翼片３３上に組合せられる。該掃除部品４はスポンジであり、該両側の翼片３３との結合方式は粘着である。
使用時には、図３に示すように、使用者は片手で施力して該支柱１の上を握り、反対の手で該収納ボックス２のハンドル２４の上を握る。さらに該支柱１を該ハンドル２４に相対して上方へと引き伸ばすが、該支柱１は楕円管であるため位置限定が可能で、垂直のスライド移動のみを行うことができ、任意に回転させることはできない。また該支柱１を上方へと引き伸ばした時、同時に該固定台３及び該掃除部品４とを連動し、これにより該固定台３の両側翼片３３のリブ３４は該収納ボックス２の内壁上の相対する滑槽２３に従い上方へと移動して湾折し、該固定台３に従い該収納ボックス２内に収納される。よって該固定台３及び該掃除部品４とが該収納ボックス２の中に完全に収納されるまで、圧迫を受けて水分を絞ることができ、しかも該収納ボックス２の底部の延伸部２２は地面上に安定的に立てることができるため、便利に置くことができる。
【００１０】
使用を継続する場合には、該支柱１を下方へと押し出し、これにより該固定台３の両側翼片３３のリブ３４は再度該収納ボックス２の滑槽２３に従い下方へとスライド移動し、該固定台３の両側翼片３３は該収納ボックス２から離脱する。これにより該翼片３は完全に展開する。
【００１１】
差し入れることが難しい奥を掃除する時には、図４に示すように応用する。該支柱１上に設置する該弾力ロック１１は該支柱１を定位し簡単に下方へと滑動しないようにしているが、掃除が難しい隅では、該弾力ロック１１を押し、これにより該支柱１はさらに下方へと引き伸ばし可能となり、各種掃除が必要な場所に適合させることができる。また該掃除部品４を長く使用し、新たな掃除部品４に交換する必要がある時には、該固定部品３２を回転し緩めるだけで、該固定台３全体を交換することができ、該支柱１を一緒に交換してしまう必要はない。
このように、取り外しと組み立てに便利で、交換費用を節約することもできる。
【００１２】
本考案の第二実施例は図５に示すように、支柱１Ａ、収納ボックス２Ａ、固定台３Ａ及び掃除部品４Ａを含む。
該支柱１Ａは楕円管であり、その上には弾力ロック１１Ａを設置し、またその端部には第一固定孔１２Ａを設置する。
【００１３】
該収納ボックス２Ａは該支柱１Ａ上に嵌設され、該収納ボックス２Ａ内には容置空間２１Ａを設置する。該収納ボックス２Ａの底部両側にはそれぞれ延伸して相対する延伸部２２Ａを設置する。しかも該収納ボックス２Ａの内壁上には滑槽２３Ａを設置し２個の該延伸部２２Ａまで延伸する。また該収納ボックス２Ａの上端には延伸しハンドル２４Ａを設置する。
【００１４】
該固定台３Ａは該支柱１Ａの端部に穿設され、その上には第二固定孔３１Ａを設置し、該支柱１Ａの第一固定孔１２Ａと相互に対応し、固定部品３２Ａを穿設する。該固定部品３２Ａはネジであり、また該固定台３Ａの両側の可動接続部品３３１Ａを利用し、翼片３３Ａを可動接続する。該翼片３３Ａ上にはリブ３４Ａを設置し、しかも該リブ３４Ａ上にはローリング部品３５Ａを設置する。該ローリング部品３５Ａはボール、或いはローラー３５１Ａの内の一つである（図６参照）。
【００１５】
該掃除部品４Ａは該固定台３Ａの翼片３３Ａ上に粘着され、該掃除部品４Ａはスポンジである。
使用時には図７に示すように、使用者は片手で施力して該支柱１Ａ上を握り、反対の手で該収納ボックス２Ａのハンドル２４Ａ上を握る。さらに、該支柱１Ａを該ハンドル２４Ａに相対して上方へと引き伸ばすが、該支柱１Ａは楕円管であるため位置限定が可能で、垂直のスライド移動のみを行うことができ、任意に回転させることはできない。
【００１６】
また該支柱１Ａを上方へと引き伸ばした時、同時に該固定台３Ａ及び該掃除部品４Ａとを連動し、該収納ボックス２Ａ内において上方へと湾折移動させ、しかも該固定台３Ａの両側の翼片３３Ａが該収納ボックス２Ａの底部の相対する両側の延伸部２２Ａ内において湾折される時、該翼片３３Ａのリブ３４Ａ上に設置するローリング部品３５Ａは該収納ボックス２Ａの滑槽２３Ａに従い回転し上方へと移動する。よって簡単にローリングさせることができ、使用者は反対の手で該支柱１Ａを継続して引き動かし、該収納ボックス２Ａに相対して移動させる。こうして、該固定台３Ａの翼片３３Ａは該固定台３Ａに対応して湾折し、同時に該固定台３Ａ上の掃除部品４Ａの相対湾折を連動し、該固定台３Ａは該収納ボックス２Ａ内に収納される。こうして該固定台３Ａ及び該掃除部品４Ａとが該収納ボックス２Ａ中に完全に収納されるまで、圧迫を受けて水分を絞ることができ、しかも該収納ボックス２Ａの底部の延伸部２２Ａを利用し、地面上に安定的に立てることができるため、便利に置くことができる。
【００１７】
本考案の第三実施例は図８に示すように、支柱１Ｂ、収納ボックス２Ｂ、固定台３Ｂ及び掃除部品４Ｂを含む。
該支柱１Ｂは楕円管であり、その上には弾力ロック１１Ｂを設置し、またその端部には第一固定孔１２Ｂを設置する。
【００１８】
該収納ボックス２Ｂは該支柱１Ｂ上に嵌設され、該収納ボックス２Ｂ内には容置空間２１Ｂを設置する。該収納ボックス２Ｂの底部両側にはそれぞれ延伸して相対する延伸部２２Ｂを設置し、しかも該収納ボックス２Ａの内壁上には滑槽２３Ｂを設置し、２個の該延伸部２２Ｂまで延伸する。該滑槽２３Ｂ上にはローリング部品２４Ｂを設置し、該ローリング部品２４Ｂはボール、或いはローラー２４１Ｂ（図９参照）、或いはローラー柱２４２Ｂ（図１０参照）の内の一つであり、また該収納ボックス２Ｂ上端には延伸するハンドル２５Ｂを設置する。
【００１９】
該固定台３Ｂは該支柱１Ｂの端部上に穿設され、その上には第二固定孔３１Ｂを設置し、該支柱１Ｂの第一固定孔１２Ｂと相互に対応して、固定部品３２Ｂを穿設する。該固定部品３２Ｂはネジであり、また該固定台３Ｂの両側は可動接続部品３３１Ｂを利用して、翼片３３Ｂを可動接続する。該翼片３３Ｂ上にはリブ３４Ｂを設置する。
【００２０】
該掃除部品４Ｂは該固定台３Ｂの翼片３３Ｂ上に粘着され、該掃除部品４Ｂはスポンジである。
使用者は片手で施力して該支柱１Ｂ上を握り、反対の手で該収納ボックス２Ｂの上端のハンドル２５Ｂ上を握り、さらに該支柱１Ｂを該ハンドル２５Ｂに対応して上方へと引き伸ばすが、該支柱１Ｂは楕円管であるため位置限定が可能で、垂直のスライド移動のみを行うことができ、任意に回転させることはできない。また該支柱１Ｂ上方へと引き伸ばした時、同時に該固定台３Ｂ及び該掃除部品４Ｂとを連動して該収納ボックス２Ｂ内において上方へと移動させ、しかも該固定台３Ｂの両側の翼片３３Ｂが該収納ボックス２Ｂの底部の相対する両側の延伸部２２Ｂにある時、該収納ボックス２Ｂは内壁の滑槽２３Ｂ上にローリング部品２４Ｂを設置するため、簡単にローリングさせることができる。こうして該翼片３３Ｂのリブ３４Ｂは回転して上方へと移動し、使用者は反対の手で該支柱１Ｂを継続して引き動かし、該収納ボックス２Ｂに相対して移動させる。こうして、該固定台３Ｂの翼片３３Ｂは該固定台３Ｂに相対して湾折し、同時に該固定台３Ｂ上の掃除部品４Ｂを連動して相対湾折させ、該固定台３Ｂは該収納ボックス２Ｂ内に収納される。該固定台３Ｂ及び該掃除部品４Ｂとが該収納ボックス２Ｂ中に完全に収納されるまで圧迫を受けて水分を絞ることができ、しかも該収納ボックス２Ｂの底部の延伸部２２Ｂは地面上に安定的に立てることができるため、便利に置くことができる。
【図面の簡単な説明】
【００２１】
【図１】本考案の第一実施例における柄付きモップの構造を示す立体分解図である。
【図２】本考案の第一実施例における柄付きモップの構造を示す断面図である。
【図３】本考案の第一実施例における柄付きモップの構造の掃除部品を完全に收納した状態を示す説明図である。
【図４】本考案の第一実施例における柄付きモップの構造の掃除部品を押し出して使用する状態を示す説明図である。
【図５】本考案の第二実施例における柄付きモップの構造を示すの立体分解図である。
【図６】本考案の第二実施例における柄付きモップの構造のローリング部品がローラーであることを示す斜視図である。
【図７】本考案の第二実施例における柄付きモップの構造を示す断面図である。
【図８】本考案の第三実施例における柄付きモップの構造を示す立体分解図である。
【図９】本考案の第三実施例における柄付きモップの構造のローリング部品がローラーであることを示す説明図である。
【図１０】本考案の第三実施例における柄付きモップの構造のローリング部品がローラー柱であることを示す説明図である。
【図１１】本考案の第三実施例における柄付きモップの構造を示す断面図である。
【符号の説明】
【００２２】
１:支柱、１１：弾力ロック、１２：第一固定孔、２：収納ボックス、２１：容置空間、２２：延伸部、２３：滑槽、２４：ハンドル、３：固定台、３１：第二固定孔、３２：固定部品、３３：翼片、３３１：可動接続部品、３４：リブ、４：掃除部品、１Ａ：支柱、１１Ａ：弾力ロック、１２Ａ：第一固定孔、２Ａ：収納ボックス、２１Ａ：容置空間、２２Ａ：延伸部、２３Ａ：滑槽、２４Ａ：ハンドル、３Ａ：固定台、３１Ａ：第二固定孔、３２Ａ：固定部品、３３Ａ：翼片、３３１Ａ：可動接続部品、３４Ａ：リブ、３５Ａ：ローリング部品、３５１Ａ：ローラー、４Ａ：掃除部品、１Ｂ：支柱、１１Ｂ：弾力ロック、１２Ｂ：第一固定孔、２Ｂ：収納ボックス、２１Ｂ：容置空間、２２Ｂ：延伸部、２３Ｂ：滑槽、２４Ｂ：ローリング部品、２４１Ｂ：ローラー、２４２Ｂ：ローラー柱、２５Ｂ：ハンドル、３Ｂ：固定台、３１Ｂ：第二固定孔、３２Ｂ：固定部品、３３Ｂ：翼片、３３１Ｂ：可動接続部品、３４Ｂ：リブ、４Ｂ：掃除部品
【図１】
0003130561.tif 000003
【図２】
0003130561.tif 000004
【図３】
0003130561.tif 000005
【図４】
0003130561.tif 000006
【図５】
0003130561.tif 000007
【図６】
0003130561.tif 000008
【図７】
0003130561.tif 000009
【図８】
0003130561.tif 000010
【図９】
0003130561.tif 000011
【図１０】
0003130561.tif 000012
【図１１】
0003130561.tif 000013